【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
各々が入射光に基づく電荷を生成する複数の光電変換部を、各々が有するとともに、２次元状に配置された複数の画素と、
前記複数の画素の各々に、一の光電変換部が蓄積した電荷に基づく第１の信号と、前記複数の光電変換部が蓄積した電荷の和に基づく第２の信号と、を出力させる制御部と、
前記複数の画素の前記第１の信号同士を合成した複数の第１の合成信号、及び前記第２の信号同士を合成した複数の第２の合成信号を生成する合成部と、
前記複数の第２の合成信号と、前記複数の第１の合成信号のうちの一部の第１の合成信号とを出力し、他の第１の合成信号を出力しない出力部と、
を有することを特徴とする撮像装置。
【請求項２】
各々が入射光に基づく電荷を生成する複数の光電変換部を、各々が有するとともに、２次元状に配置された複数の画素と、
前記複数の画素の各々に、一の光電変換部が蓄積した電荷に基づく第１の信号と、前記複数の光電変換部が蓄積した電荷の和に基づく第２の信号と、を出力させる制御部と、
前記複数の画素の前記第１の信号同士を合成した複数の第１の合成信号、及び前記第２の信号同士を合成した複数の第２の合成信号を生成する合成部と、
前記複数の画素に対応して設けられた複数のメモリ部とを有し、
前記複数のメモリ部の少なくとも一部のメモリ部の各々が前記複数の第１の合成信号のそれぞれを保持し、
前記複数のメモリ部の各々が前記複数の第２の合成信号のそれぞれを保持し、
前記複数の第１の合成信号を保持した前記一部のメモリ部の各々を走査し、前記複数の第２の合成信号を保持した前記複数のメモリ部の各々を走査する走査回路をさらに有することを特徴とする撮像装置。
【請求項３】
前記合成部は、異なる列の前記画素の前記第１の信号同士、及び前記第２の信号同士を加算することを特徴とする請求項１又は２記載の撮像装置。
【請求項４】
前記合成部は、異なる列の前記画素の前記第１の信号同士、及び前記第２の信号同士を平均化することを特徴とする請求項１又は２記載の撮像装置。
【請求項５】
前記撮像装置は、各々が前記画素から前記第１の信号及び前記第２の信号がそれぞれ出力されるとともに、各々が前記複数の画素が配された列に対応して設けられた複数列の出力線をさらに有し、
前記合成部は、前記複数列の出力線を、容量を介して同一ノードに互いに接続することにより、前記第１の合成信号、及び前記第２の合成信号を生成することを特徴とする請求項１〜３のいずれか１項に記載の撮像装置。
【請求項６】
さらに、前記第１の信号と前記第２の信号のそれぞれをデジタル信号に変換するアナログデジタル変換部を有し、
前記合成部は、前記アナログデジタル変換部が出力するデジタル信号を合成することで、前記第１の合成信号、及び前記第２の合成信号を生成することを特徴とする請求項１〜３のいずれか１項に記載の撮像装置。
【請求項７】
前記撮像装置は、各々が前記画素から前記第１の信号及び前記第２の信号がそれぞれ出力されるとともに、各々が前記複数の画素が配された列に対応して設けられた複数列の出力線をさらに有し、
前記合成部は、前記複数列の出力線を接続することにより合成することを特徴とする請求項１又は２記載の撮像装置。
【請求項８】
各々が入射光に基づく電荷を生成する複数の光電変換部、及び前記電荷に基づく信号を出力する画素増幅部を、各々が有するとともに、２次元状に配置された複数の画素と、
前記複数の画素同士の、一の光電変換部が蓄積した電荷の和に各々が基づく複数の第３の信号と、前記複数の画素同士の、前記複数の光電変換部が蓄積した電荷の和に各々が基づく複数の第４の信号と、を前記画素増幅部に出力させる制御部と、
前記複数の第４の信号と、前記複数の第３の信号のうちの一部の第３の信号とを出力し、他の第３の信号を出力しない出力部と、
を有することを特徴とする撮像装置。
【請求項９】
さらに前記撮像装置は、複数のマイクロレンズを有し、
前記複数の光電変換部が、前記複数のマイクロレンズの１つに対応して配されていることを特徴とする請求項１〜８のいずれか１項に記載の撮像装置。
【請求項１０】
請求項１〜９のいずれか１項に記載の撮像装置と、
前記撮像装置に光学像を結像させる光学系と、
前記第１のモードの前記撮像装置の出力信号を用いて前記光学系の焦点を検出し、前記第２のモードの前記撮像装置の出力信号を用いて画像を生成する出力信号処理部と、
を有することを特徴とする撮像システム。
【請求項１１】
各々が入射光に基づく電荷を生成する複数の光電変換部を、各々が有するとともに、２次元状に配置された複数の画素を有する撮像装置の駆動方法であって、
前記複数の画素の各々が、一の光電変換部が蓄積した電荷に基づく第１の信号と、前記複数の光電変換部が蓄積した電荷の和に基づく第２の信号と、を出力し、
前記複数の画素の前記第１の信号同士を合成した複数の第１の合成信号、及び前記第２の信号同士を合成した複数の第２の合成信号を生成し、
前記複数の第２の合成信号と、前記複数の第１の合成信号のうちの一部の第１の合成信号とを出力し、他の第１の合成信号を出力しないことを特徴とする撮像装置の駆動方法。
【請求項１２】
各々が入射光に基づく電荷を生成する複数の光電変換部を、各々が有するとともに、２次元状に配置された複数の画素と、
前記複数の画素に対応して設けられた複数のメモリ部とを有する撮像装置の駆動方法であって、
前記複数の画素の各々が、一の光電変換部が蓄積した電荷に基づく第１の信号と、前記複数の光電変換部が蓄積した電荷の和に基づく第２の信号と、を出力し、
前記複数の画素の前記第１の信号同士を合成した複数の第１の合成信号、及び前記第２の信号同士を合成した複数の第２の合成信号を生成し、
前記複数のメモリ部の少なくとも一部のメモリ部の各々が前記複数の第１の合成信号のそれぞれを保持し、
前記複数のメモリ部の各々が前記複数の第２の合成信号のそれぞれを保持し、
前記複数の第１の合成信号を保持した前記一部のメモリ部の各々を走査し、前記複数の第２の合成信号を保持した前記複数のメモリ部の各々を走査することを特徴とする撮像装置の駆動方法。
【請求項１３】
異なる列の前記画素の前記第１の信号同士、及び前記第２の信号同士を加算することを特徴とする請求項１１又は１２記載の撮像装置の駆動方法。
【請求項１４】
異なる列の前記画素の前記第１の信号同士、及び前記第２の信号同士を平均化することを特徴とする請求項１１又は１２記載の撮像装置の駆動方法。
【請求項１５】
各々が前記画素から前記第１の信号及び前記第２の信号がそれぞれ出力されるとともに、各々が前記複数の画素が配された列に対応して設けられた複数列の出力線をさらに有し、
前記複数列の出力線を、容量を介して同一ノードに互いに接続することにより、前記第１の合成信号、及び前記第２の合成信号を生成することを特徴とする請求項１１又は１２記載の撮像装置の駆動方法。
【請求項１６】
前記第１の信号と前記第２の信号とのそれぞれをデジタル信号に変換し、
前記第１の信号に基づくデジタル信号同士を合成することで、前記第１の合成信号を生成し、
前記第２の信号に基づくデジタル信号同士を合成することで、前記第２の合成信号を生成することを特徴とする請求項１１又は１２記載の撮像装置の駆動方法。
【請求項１７】
さらに前記撮像装置は、複数のマイクロレンズを有し、
前記複数の光電変換部が、前記複数のマイクロレンズの１つに対応して配されていることを特徴とする請求項１１〜１６のいずれか１項に記載の撮像装置の駆動方法。
【手続補正２】
【補正対象書類名】明細書
【補正対象項目名】０００６
【補正方法】変更
【補正の内容】
【０００６】
本発明の一の態様は、各々が入射光に基づく電荷を生成する複数の光電変換部を、各々が有するとともに、２次元状に配置された複数の画素と、前記複数の画素の各々に、一の光電変換部が蓄積した電荷に基づく第１の信号と、前記複数の光電変換部が蓄積した電荷の和に基づく第２の信号と、を出力させる制御部と、前記複数の画素の前記第１の信号同士を合成した複数の第１の合成信号、及び前記第２の信号同士を合成した複数の第２の合成信号を生成する合成部と、前記複数の第２の合成信号と、前記複数の第１の合成信号のうちの一部の第１の合成信号とを出力し、他の第１の合成信号を出力しない出力部と、を有することを特徴とする撮像装置である。
【手続補正３】
【補正対象書類名】明細書
【補正対象項目名】０００７
【補正方法】変更
【補正の内容】
【０００７】
本発明の別の態様は、各々が入射光に基づく電荷を生成する複数の光電変換部を、各々が有するとともに、２次元状に配置された複数の画素と、前記複数の画素の各々に、一の光電変換部が蓄積した電荷に基づく第１の信号と、前記複数の光電変換部が蓄積した電荷の和に基づく第２の信号と、を出力させる制御部と、前記複数の画素の前記第１の信号同士を合成した複数の第１の合成信号、及び前記第２の信号同士を合成した複数の第２の合成信号を生成する合成部と、前記複数の画素に対応して設けられた複数のメモリ部とを有し、前記複数のメモリ部の少なくとも一部のメモリ部の各々が前記複数の第１の合成信号のそれぞれを保持し、前記複数のメモリ部の各々が前記複数の第２の合成信号のそれぞれを保持し、前記複数の第１の合成信号を保持した前記一部のメモリ部の各々を走査し、前記複数の第２の合成信号を保持した前記複数のメモリ部の各々を走査する走査回路をさらに有することを特徴とする撮像装置である。
【手続補正４】
【補正対象書類名】明細書
【補正対象項目名】０００８
【補正方法】変更
【補正の内容】
【０００８】
本発明の別の態様は、各々が入射光に基づく電荷を生成する複数の光電変換部、及び前記電荷に基づく信号を出力する画素増幅部を、各々が有するとともに、２次元状に配置された複数の画素と、前記複数の画素同士の、一の光電変換部が蓄積した電荷の和に各々が基づく複数の第３の信号と、前記複数の画素同士の、前記複数の光電変換部が蓄積した電荷の和に各々が基づく複数の第４の信号と、を前記画素増幅部に出力させる制御部と、前記複数の第４の信号と、前記複数の第３の信号のうちの一部の第３の信号とを出力し、他の第３の信号を出力しない出力部と、を有することを特徴とする撮像装置である。